(57)【要約】【課題】蹴込み板の内側端部に隙間が生じるのを抑制可能な段板支持材を提供する。【解決手段】廻り階段Ａの廻り込み部分の内側に設置された支持柱１１に沿う可能な板状に形成された化粧材（段板支持材）３０であって、段板２１の内側端部が水平方向に差し込まれて支持する各段板支持溝３３，３４，３５、および、蹴込み板２２の内側端縁部の表側面２２１に上下方向に沿って当接あるいは近接して配置された各蹴込み板当接部３６，３７，３８と、を備え、各蹴込み板当接部３６，３７，３８において、設置時に蹴込み板２２の表側面２２１と対向する端縁部に、弾性変形可能な見切材３６ｂ，３７ｂ，３８ｂが設けられていることを特徴とする化粧材３０とした。【選択図】図５Ｃ
2018131850.tif 000002
【特許請求の範囲】
【請求項１】
廻り階段の廻り込み部分の内側に設置された支持柱に沿わせることが可能な板状に形成された段板支持材であって、
段板の内側端部が水平方向に差し込まれて支持する段板支持溝、および、蹴込み板の内側端縁部の表側面に上下方向に沿って当接あるいは近接して配置された蹴込み板当接部を備え、
前記蹴込み板当接部において設置時に前記蹴込み板の表側面と対向する側の端縁部に、弾性変形可能な見切材が設けられていることを特徴とする段板支持材。
【請求項２】
請求項１に記載の段板支持材において、
幅方向で前記廻り階段の下側の段板が配置される側の端部に、下側の蹴込み板に沿って延在される下側の蹴込み板当接部が上下方向に延在され、
この下側の蹴込み板当接部の上端部に、前記下側の段板が差し込まれる下側の段板支持溝が形成され、
前記下側の段板支持溝の上側に、前記下側の段板の上側に設けられる上側の蹴込み板当接部が、前記下側の蹴込み板当接部よりも幅広に形成され、かつ、上下方向に延在され、
この上側の蹴込み板当接部の上端部に、上側の段板が差し込まれる上側の段板支持溝が形成されていることを特徴とする段板支持材。
【請求項３】
請求項１または請求項２に記載の段板支持材において、
前記見切材は、舌片断面状に形成されていることを特徴とする段板支持材。
【請求項４】
請求項１〜請求項３のいずれか１項に記載の段板支持材により段板の内側端部が支持された廻り階段構造であって、
前記段板支持材が、廻り階段の廻り込み部の内側に設置された支持柱に設けられ、
前記段板支持溝に、前記段板の内側端部が差し込まれて支持され、
前記段板の下側に配置された蹴込み板の内側端部が、前記見切材に圧接されて前記見切材を弾性変形させた状態で、前記蹴込み板当接部に沿って設けられている
ことを特徴とする廻り階段構造。
【発明の詳細な説明】
【技術分野】
【０００１】
本開示は、廻り階段に用いる段板支持材およびこの段板支持材を用いた廻り階段構造に関する。
【背景技術】
【０００２】
従来、段板が、支持柱を中心に、９０度あるいは１８０度廻り込むようにして配置された廻り階段において、段板の内側端部が、支持柱の側面に取り付けられた段板支持材により支持したものが知られている（例えば、特許文献１参照）。
【０００３】
この従来技術によれば、支持柱に取り付けられて段板の内側端部を支持する段板支持材として、板状の内廻り側板と、Ｌ字断面状の受金具とが用いられている。そして、内廻り側板の段差部により段板の内側端部の上下方向および水平方向の位置決めが成され、段板の下側に配置された受金具により強固に支持された構造となっている。
また、段板の下側に取り付けられる蹴込み板の内側端部は、先端面を支持柱の側面に当接あるいは近接され、表面の内側端部を、内廻り側板の端面に当接されている。
【先行技術文献】
【特許文献】
【０００４】
【特許文献１】特許第４７９９１９３号公報
【発明の概要】
【発明が解決しようとする課題】
【０００５】
しかしながら、上述の従来技術によれば、蹴込み板の内側端部の表面側が内廻り側板の端面に沿って配置された構造であり、廻り側板の端面の加工精度および蹴込み板の平面精度を高く製造するのが難しいため、蹴込み板の内側端部に幅が不均一な隙間が生じことがあった。
また、廻り側板は、プレス加工により製造するのが効率的であるが、その場合、端面において高い直線精度を得るのが難しく、特に上記隙間が生じやすい。したがって、高い直線精度を得るための手作業などが必要であった。
さらに、製造時に上記隙間が無い構造としていても、蹴込み板として木製板材を用いた場合には、経年劣化により撓みが生じるおそれがあり、その場合、上記隙間が生じるおそれがあった。
【０００６】
本開示は、上述の問題に着目してなされたもので、蹴込み板の内側端部に隙間が生じるのを抑制可能な段板支持材および廻り階段構造を提供することを目的とする。
【課題を解決するための手段】
【０００７】
上述の目的を達成するため、本開示の、段板支持材は、
廻り階段の廻り込み部分の内側に設置された支持柱に沿わせることが可能な板状に形成された段板支持材であって、
段板の内側端部が水平方向に差し込まれて支持する段板支持溝、および、蹴込み板の内側端縁部の表側面に上下方向に沿って当接あるいは近接して配置された蹴込み板当接部を備え、
前記蹴込み板当接部において設置時に前記蹴込み板の表側面と対向する側の端縁部に、弾性変形可能な見切材が設けられていることを特徴とする。
【０００８】
また、本開示の廻り階段構造は、
本開示の段板支持材により段板の内側端部が支持された廻り階段構造であって、
前記段板支持材が、廻り階段の廻り込み部の内側に設置された支持柱に設けられ、
前記段板支持溝に、前記段板の内側端部が差し込まれて支持され、
前記段板の下側に配置された蹴込み板の内側端部が、前記見切材に圧接されて前記見切材を弾性変形させた状態で、前記蹴込み板当接部に沿って設けられていることを特徴とする廻り階段構造とした。
【発明の効果】
【０００９】
したがって、蹴込み板を、見切材を弾性変形させるように接触させることにより、蹴込み板と段板支持材の蹴込み板当接部との間に隙間が生じることなく設置することが可能である。また、経時変化により、蹴込み板に撓みが生じた場合でも、見切材が撓みに追従して変形し、接触状態を維持することにより、前記隙間が生じるのを抑制できる。
このように、蹴込み板の内側端部との間に隙間が生じるのを抑制可能な段板支持材および廻り階段構造を提供することができる。
【図面の簡単な説明】
【００１０】
【図１】実施の形態１の段板支持材としての化粧材および廻り階段構造を適用した廻り階段を示す斜視図である。
【図２】前記廻り階段の要部の縦断面図である。
【図３】図１のＳ３−Ｓ３の位置での断面図である。
【図４】前記廻り階段の要部の平面図である。
【図５Ａ】実施の形態１の段板支持材としての化粧材を、その表面側から見た斜視図である。
【図５Ｂ】実施の形態１の段板支持材としての化粧材を、その裏面側から見た斜視図である。
【図５Ｃ】実施の形態１の段板支持材としての化粧材の正面図である。
【図６Ａ】実施の形態１の段板支持材としての化粧材の断面図であって、図５ＣのＳ６Ａ−Ｓ６Ａの位置での断面を示す。
【図６Ｂ】実施の形態１の段板支持材としての化粧材の断面図であって、図５ＣのＳ６Ｂ−Ｓ６Ｂの位置での断面を示す。
【図６Ｃ】実施の形態１の段板支持材としての化粧材の断面図であって、図５ＣのＳ６Ｃ−Ｓ６Ｃの位置での断面を示す。
【図６Ｄ】実施の形態１の段板支持材としての化粧材の断面図であって、図５ＣのＳ６Ｄ−Ｓ６Ｄの位置での断面を示す。
【図６Ｅ】実施の形態１の段板支持材としての化粧材の断面図であって、図５ＣのＳ６Ｅ−Ｓ６Ｅの位置での断面を示す。
【図６Ｆ】実施の形態１の段板支持材としての化粧材の断面図であって、図５ＣのＳ６Ｆ−Ｓ６Ｆの位置での断面を示す。
【図７】前記廻り階段における第１段板支持溝の支持面により段板を支持している状態を示す横断面図である。
【図８】前記廻り階段における第１蹴込み板当接部と蹴込み板とが当接する位置での横断面図である。
【図９】前記廻り階段における第２段板支持溝の支持面により段板を支持している状態を示す横断面図である。
【図１０】前記廻り階段における第２蹴込み板当接部と蹴込み板とが当接する位置での横断面図である。
【図１１】前記廻り階段における第３段板支持溝の支持面により段板を支持している状態を示す横断面図である。
【図１２】前記廻り階段における第３蹴込み板当接部と蹴込み板とが当接する位置での横断面図である。
【発明を実施するための形態】
【００１１】
以下、本開示の段板支持材および廻り階段構造を実施するための形態を、図面に基づいて説明する。
（実施の形態１）
図１は、実施の形態１の段板支持材としての化粧材３０および廻り階段構造を適用した廻り階段Ａを示す斜視図である。
【００１２】
（廻り階段の全体構成）
まず、廻り階段Ａの全体構成について説明する。
廻り階段Ａは、例えば木造住宅建築物において、階段仕切壁１０に沿って配置されているとともに、階段仕切壁１０の先端部の支持柱１１を中心として、１８０度廻り込んで設けられている。
【００１３】
また、回り階段Ａは、段板２１および蹴込み板２２とを備える。
そして、廻り階段Ａの要部の平面図である図２に示すように、支持柱１１の周囲に設けられた４枚の段板２１ａ，２１ｂ，２１ｃ，２１ｄを用いて、矢印ＵＤにより示す昇降方向が１８０度変わるように形成されている。なお、段板２１は、特定の位置に配置されたものを指さずに総称する場合は、符号２１を付し、支持柱１１の周囲に配置された４枚の段板２１ａ，２１ｂ，２１ｃ，２１ｄのいずれかを指す場合は、符号２１の後にａ〜ｄを付す。
なお、蹴込み板２２は、段板２１と同じ幅に亘って設けられており、図２に示すように、段板２１の先端部である段鼻２１１に対して、寸法Ｌａだけ奥側に配置されている。
【００１４】
（化粧材の構成）
階段仕切壁１０の端面には、図１のＳ３−Ｓ３の位置での断面図である図３に示すように、支持柱１１の側面に釘１２により固定された段板支持材である化粧材３０が設けられている。
【００１５】
そして、回り階段Ａの要部を示す平面図である図４に示すように、化粧材３０を囲む水平方向の１８０度の範囲に、４枚の段板２１ａ，２１ｂ，２１ｃ，２１ｄが配置されている。さらに、そのうちの３枚の段板２１ｂ，２１ｃ，２１ｄの内側の端縁部が、化粧材３０に支持されている。
【００１６】
次に、化粧材３０について説明する。
図５Ａは、化粧材３０を、その表面３０ａ（支持柱１１に当接する面を裏面３０ｂとし、その反対側の面）側から見た斜視図、図５Ｂは、化粧材３０を、裏面３０ｂ側から見た斜視図、図５Ｃは化粧材３０の正面図である。
【００１７】
化粧材３０は、木製の化粧材本体３１の表面に、ウレタン塗装材などの塗装材３２を塗布して形成されている。そして、その下部の側部に、上方から順に第１段板支持溝３３、第２段板支持溝３４、第３段板支持溝３５が、水平方向に幅方向の中央に向かって形成されている。すなわち、各段板支持溝３３〜３５には、それぞれ、段板２１ｂ，２１ｃ，２１ｄが差し込まれるものであり、その上下方向寸法は、段板２１の厚さ寸法に基づいて、それよりも僅かに大きな寸法に形成されている。
【００１８】
さらに、各段板支持溝３３〜３５どうしの間、および、第３段板支持溝３５の下方側には、蹴込み板当接部３６，３７，３８が形成されている。これらの蹴込み板当接部３６〜３８は、それぞれ、蹴込み板２２ｂ，２２ｃ，２２ｄの内側端部が当接されるものであり、その上下方向寸法は、蹴込み板２２を挟んで上下に配置される段板２１，２１の間の寸法に相当する。
【００１９】
図６Ａ〜図６Ｆは、それぞれ、図５ＣにおけるＳ６Ａ−Ｓ６Ａ、Ｓ６Ｂ−Ｓ６Ｂ、Ｓ６Ｃ−Ｓ６Ｃ、Ｓ６Ｄ−Ｓ６Ｄ、Ｓ６Ｅ−Ｓ６Ｅ、Ｓ６Ｆ−Ｓ６Ｆの位置での断面を示している。
【００２０】
図６Ａ、図６Ｃ、図６Ｅに示すように、各段板支持溝３３〜３５は、その奥に配置された奥側面３３ａ．３４ａ．３５ａが、その下方に配置された蹴込み板当接部３６，３７，３８の側面３６ａ，３７ａ，３８ａよりも、水平方向に奥まった位置に配置されている。このため、各段板支持溝３３，３４，３５には、奥側面３３ａ．３４ａ．３５ａの下端部から、水平方向に張り出した支持面３３ｂ，３４ｂ，３５ｂが形成されている。
【００２１】
さらに、図６Ｂ、図６Ｄ、図６Ｆに示すように、各蹴込み板当接部３６，３７，３８の側面３６ａ，３７ａ，３８ａの表面３０ａ側の端縁部に、見切材３６ｂ，３７ｂ，３８ｂが各蹴込み板当接部３６，３７，３８の全長に亘って設けられている。各見切材３６ｂ，３７ｂ，３８ｂは、ゴム、樹脂などの弾性を有した素材により、各図に示すように、化粧材３０の内側方向に湾曲した舌片断面状に形成されている。
【００２２】
（化粧材と段板および蹴込み板との位置関係）
次に、廻り階段Ａにおける化粧材３０と段板２１および蹴込み板２２との位置関係について、図７〜図１２に基づいて説明する。
【００２３】
図７は、化粧材３０の各段板支持溝３３〜３５のうちで最も高い位置に配置された第１段板支持溝３３の支持面３３ｂにより段板２１ｄを支持した状態を示す横断面図である。この図７に示すように、段板２１ｄの内側端部の段鼻２１１の部分が、第１段板支持溝３３に差し込まれ、段鼻２１１の端面が奥側面３３ａに当接されている。また、段板２１ｄの内側端部の段鼻２１１の部分の下面が支持面３３ｂに支持される。このように、段板２１ｄの内側端部の段鼻２１１の部分の奥側面と下面との２面が、第１段板支持溝３３の奥側面３３ａ、支持面３３ｂの２面に当接することで位置決めされる。
【００２４】
図８は、段板２１ｄの下側の蹴込み板２２ｄの位置での横断面図である。この図８に示すように蹴込み板２２ｄの内側端部の表側面２２１が、第１蹴込み板当接部３６の側面３６ａに当接あるいは近接されている。さらに、蹴込み板２２ｄと、側面３６ａの化粧材３０の表面３０ａ側の端部では、化粧材３０の第１蹴込み板当接部３６との間の間隔に応じて見切材３６ｂが弾性変形して介在されている。
したがって、蹴込み板２２ｄと化粧材３０の第１蹴込み板当接部３６との間は、見切材３６ｂにより埋められて、両者の間に隙間が生じることが無い。この場合、見切材３６ｂを弾性変形させて蹴込み板２２ｄに当接させているため、蹴蹴込み板２２ｄと第１蹴込み板当接部３６との間の隙間の寸法にばらつきがあっても、見切材３６ｂの弾性変形量の違いにより追従し、全長に亘って隙間が生じるのを抑えることができる。また、見切材３６ｂを弾性変形させて蹴込み板２２ｄに当接させていることで、蹴込み板２２ｄに経時的な撓みが生じた場合は、見切材３６ｂが圧縮方向への弾性変形および伸長方向への復元変形により追従することで、蹴込み板２２ｄと第１蹴込み板当接部３６との間に隙間が生じることを抑制できる。
【００２５】
図９は、化粧材３０の各段板支持溝３３〜３５のうちの上下方向で中間位置に配置された第２段板支持溝３４の支持面３４ｂにより段板２１ｃを支持している状態を示す横断面図である。この図９に示すように、段板２１ｃの内側端部の段鼻２１１の部分が、第２段板支持溝３４に差し込まれ、段鼻２１１の端面が奥側面３４ａに当接されている。また、段板２１ｃの内側端部の段鼻２１１の部分の下面が支持面３４ｂに支持される。このように、段板２１ｃの内側端部の段鼻２１１の部分の奥側面と下面との２面が、第２段板支持溝３４の奥側面３４ａ、支持面３４ｂの２面に当接することで、位置決めされる。
【００２６】
図１０は、段板２１ｃの下側の蹴込み板２２ｃの位置での横断面図である。この図１０に示すように、蹴込み板２２ｃの内側端部の表側面２２１が、第２蹴込み板当接部３７の側面３７ａに当接あるいは近接されている。さらに、蹴込み板２２ｃと、側面３７ａの化粧材３０の表面３０ａ側の端部では、化粧材３０の第２蹴込み板当接部３７との間の間隔に応じて見切材３７ｂが弾性変形して介在されている。
したがって、蹴込み板２２ｃと化粧材３０の第１蹴込み板当接部３７との間は、見切材３７ｂにより埋められて、両者の間に隙間が生じることが無い。
【００２７】
図１１は、化粧材３０の各段板支持溝３３〜３５のうちの最も下方に配置された第３段板支持溝３５の支持面３５ｂにより段板２１ｂを支持している状態を示す横断面図である。この図１１に示すように、段板２１ｂの内側端部の段鼻２１１の部分が、第３段板支持溝３５に差し込まれ、段鼻２１１の端面が奥側面３５ａに当接されている。また、段板２１ｂの内側端部の段鼻２１１の部分の下面が支持面３５ｂに支持される。このように、段板２１ｂの内側端部の段鼻２１１の部分の奥側面と下面との２面が、第２段板支持溝３５の奥側面３５ａ、支持面３５ｂの２面に当接することで、位置決めされる。
【００２８】
図１２は、段板２１ｂの下側の蹴込み板２２ｂの位置での横断面図である。この図１２に示すように、蹴込み板２２ｂの内側端部の表側面２２１が、第３蹴込み板当接部３８の側面３８ａに近接されている。さらに、蹴込み板２２ｂと、側面３８ａの化粧材３０の表面３０ａ側の端部では、化粧材３０の第２蹴込み板当接部３８との間の間隔に応じて見切材３８ｂが弾性変形して介在されている。
したがって、蹴込み板２２ｂと化粧材３０の第３蹴込み板当接部３８との間は、見切材３８ｂにより埋められて、両者の間に隙間が生じることが無い。
【００２９】
なお、支持柱１１の周囲に廻り込んで設けられた４枚の段板２１ａ〜２１ｄのうち、最も下に位置する段板２１ａは、化粧材３０の第３蹴込み板当接部３８の下端面に、その内側端部の上面が当接されて上下方向の位置決めされている。また、この段板２１ａの内側端部の支持は、特許文献１などに用いられる支持部材などを用いることができる。
【００３０】
（実施の形態１の作用）
以上のように、実施の形態１の化粧材３０および廻り階段構造を適用した廻り階段Ａにあっては、蹴込み板２２ｂ，２２ｃ，２２ｄと、化粧材３０の各蹴込み板当接部３８，３７，３６との間は、見切材３８ｂ，３７ｂ，３６ｂが弾性変形して、隙間が生じることなく埋められる。
【００３１】
したがって、各蹴込み板当接部３６，３７，３８の各側面３６ａ，３７ａ，３８ａおよび蹴込み板２２ｂ，２２ｃ，２２ｄは、両者の間に隙間が生じないようにする高い平面精度が不要である。よって、プレス加工などの製造効率に優れた加工を用いて高い生産性を得ることができる。
【００３２】
また、経年劣化などにより、各蹴込み板当接部３６，３７，３８および蹴込み板２２ｂ，２２ｃ，２２ｄに撓みなどの変形が生じ、両者の間隔に変化が生じた場合も、その変化に応じて見切材３８ｂ，３７ｂ，３６ｂが弾性変形して、両者の間に隙間が生じるのを抑制できる。したがって、長期に亘って、各蹴込み板当接部３６，３７，３８と蹴込み板２２ｂ，２２ｃ，２２ｄとの間に隙間が生じない状態に維持することが可能である。
【００３３】
（実施の形態１の効果）
以下に、実施の形態１の効果を列挙する。
１）実施の形態１の化粧材（段板支持材）３０は、
廻り階段Ａの廻り込み部分の内側に設置された支持柱１１に沿う可能な板状に形成された化粧材３０であって、
段板２１の内側端部が水平方向に差し込まれて支持する各段板支持溝３３，３４，３５、および、蹴込み板２２の内側端縁部の表側面２２１に上下方向に沿って当接あるいは近接して配置された各蹴込み板当接部３６，３７，３８と、を備え、
各蹴込み板当接部３６，３７，３８において、設置時に蹴込み板２２の表側面２２１と対向する端縁部に、弾性変形可能な見切材３６ｂ，３７ｂ，３８ｂが設けられていることを特徴とする。
したがって、蹴込み板２２の表側面２２１を、見切材３６ｂ，３７ｂ，３８ｂを弾性変形させるように接触させることにより、蹴込み板２２と化粧材３０の各蹴込み板当接部３６，３７，３８との間に隙間が生じることなく設置することが可能である。また、経時変化により、蹴込み板２２に撓みが生じた場合でも、見切材３６ｂ，３７ｂ，３８ｂが撓みに追従して変形し、接触状態を維持することにより、前記隙間が生じるのを抑制できる。
このように、蹴込み板２２の内側端部との間に隙間が生じるのを抑制可能な化粧材３０を提供することができる。
【００３４】
２）実施の形態１の段板支持材としての化粧材３０は、
化粧材本体３１の幅方向で廻り階段Ａの下側の段板としての段板２１ｂ（段板２１ｃ）が配置される側の端部に、下側の蹴込み板としての蹴込み板２２ｂ（蹴込み板２２ｃ）に沿って延在される下側の蹴込み板当接部としての第３蹴込み板当接部３８（第２蹴込み板当接部３７）が上下方向に延在され、
第３蹴込み板当接部３８（第２蹴込み板当接部３７）の上端部に、段板２１ｂ（段板２１ｃ）が差し込まれる下側の段板支持溝としての第３段板支持溝３５（第２段板支持溝３４）が形成され、
第３段板支持溝３５（第２段板支持溝３４）の上側に、段板２１ｂ（段板２１ｃ）の上側に設けられる上側の蹴込み板当接部としての第２蹴込み板当接部３７（第１蹴込み板当接部３６）が、第３蹴込み板当接部３８（第２蹴込み板当接部３７）よりも幅広に形成され、かつ、上下方向に延在され、
第２蹴込み板当接部３７（第１蹴込み板当接部３６）の上端部に、上側の段板としての段板２１ｃ（段板２１ｄ）が差し込まれる上側の段板支持溝としての第２段板支持溝３４（第１段板支持溝３３）が形成されていることを特徴とする。
したがって、１枚の化粧材３０により複数の段板２１ｂ、２１ｃ（２１ｄ）を支持することができるとともに、複数の蹴込み板２２ｂ、２２ｃ（２２ｄ）との隙間を塞いで、高い品質の廻り階段を形成することが可能である。
【００３５】
３）実施の形態１の段板支持材としての化粧材３０は、
見切材３６ｂ，３７ｂ，３８ｂは、舌片状に形成されていることを特徴とする。
したがって、見切材３６ｂ，３７ｂ，３８ｂは、蹴込み板２２を当接した際に、変形が容易で、その変形量を大きく確保可能であるため、蹴込み板２２が撓んだ場合の追従代を大きく確保することができる。
【００３６】
４）実施の形態１の廻り階段構造は、
廻り階段Ａの廻り込み部の内側に設置した支持柱１１に設けられた化粧材３０により段板２１の内側端部が支持された廻り階段構造であって、
各段板支持溝３３，３４，３５に、段板２１ｄ，２１ｃ，２１ｂの内側端部が差し込まれて支持され、
段板２１ｄ，２１ｃ，２１ｂの下側に配置された蹴込み板２２ｄ，２２ｃ，２２ｂの内側端部が、見切材３６ｂ，３７ｂ，３８ｂに圧接されて見切材３６ｂ，３７ｂ，３８ｂを弾性変形させた状態で、各蹴込み板当接部３６，３７，３８に沿って設けられていることを特徴とする。
したがって、設置時、および、経時変化により蹴込み板２２に撓みが生じた時でも、蹴込み板２２と化粧材３０の各蹴込み板当接部３６，３７，３８との間に隙間が生じるのを抑制できる。
よって、蹴込み板２２の内側端部と化粧材３０との間に隙間が生じるのを抑制可能な廻り階段構造を提供することができる。
【００３７】
以上、本開示の階段制振構造を実施の形態に基づき説明してきたが、具体的な構成については、これらの実施の形態に限られるものではなく、特許請求の範囲の各請求項に係る発明の要旨を逸脱しない限り、設計の変更や追加等は許容される。
【００３８】
実施の形態では、廻り階段として、１８０度廻り込む構造を示したが、例えば、９０度などの他の廻り込み構造のものにも適用できる。その場合、段板支持材により支持する段板の数、当接する蹴込み板の数、段板支持材の形状は、実施の形態で示したものから適宜変更することができる。
【００３９】
また、実施の形態において図示はしていないが、支持柱の周囲の段板の内側端部の支持は、特許文献１に機差された支持柱に固定された金具などの支持材を併用してもよい。
また、見切材として、舌片断面状に形成したものを示したが、これに限定されず、例えば、発泡性の弾性材など伸縮率の高い素材を用いた場合は、全体が圧縮変形するような多角形柱状や円形柱状など他の形状としてもよい。
【符号の説明】
【００４０】
１１ 支持柱
２１ 段板
２２ 蹴込み板
３０ 化粧材（段板支持材）
３３ 第１段板支持溝
３３ｂ     支持面
３４ 第２段板支持溝
３４ｂ     支持面
３５  第３段板支持溝
３５ｂ     支持面
３６ 第１蹴込み板当接部
３６ｂ     見切材
３７ 第２蹴込み板当接部
３７ｂ     見切材
３８ 第３蹴込み板当接部
３８ｂ     見切材
Ａ   廻り階段
【図１】
2018131850.tif 000003
【図２】
2018131850.tif 000004
【図３】
2018131850.tif 000005
【図４】
2018131850.tif 000006
【図５Ａ】
2018131850.tif 000007
【図５Ｂ】
2018131850.tif 000008
【図５Ｃ】
2018131850.tif 000009
【図６Ａ】
2018131850.tif 000010
【図６Ｂ】
2018131850.tif 000011
【図６Ｃ】
2018131850.tif 000012
【図６Ｄ】
2018131850.tif 000013
【図６Ｅ】
2018131850.tif 000014
【図６Ｆ】
2018131850.tif 000015
【図７】
2018131850.tif 000016
【図８】
2018131850.tif 000017
【図９】
2018131850.tif 000018
【図１０】
2018131850.tif 000019
【図１１】
2018131850.tif 000020
【図１２】
2018131850.tif 000021